(57)【要約】【課題】ナノメートルサイズの対象微小物を安定して捕捉することができる、微小物の捕捉方法および微小物の捕捉装置を提供すること。【解決手段】その表面に複数の微小突起が形成された半導体基板の上に、対象微小物を含む液体を提供する。この状態で、前記半導体基板と前記液体との界面にレーザー光を集光照射して、前記液体中の前記対象微小物を前記レーザー光の光束内に捕捉する。【選択図】図１
2019056724.tif 000002
【特許請求の範囲】
【請求項１】
その表面に複数の微小突起が形成された半導体基板の上に、対象微小物を含む液体を提供する工程と、
前記半導体基板と前記液体との界面にレーザー光を集光照射して、前記液体中の前記対象微小物を前記レーザー光の光束内に捕捉する工程と、
を含む、微小物の捕捉方法。
【請求項２】
前記複数の微小突起の底部の外径の平均値は、１０ｎｍ〜１μｍの範囲内であり、
前記複数の微小突起の高さの平均値は、１０ｎｍ〜１μｍの範囲内である、
請求項１に記載の微小物の捕捉方法。
【請求項３】
前記複数の微小突起の底部の外径に対する高さの比の平均値は、２以上である、請求項２に記載の微小物の捕捉方法。
【請求項４】
前記半導体基板は、シリコン基板である、請求項１〜３のいずれか一項に記載の微小物の捕捉方法。
【請求項５】
前記レーザー光の波長は、５００ｎｍ以上である、請求項４に記載の微小物の捕捉方法。
【請求項６】
液体中の対象微小物をレーザー光の光束内に捕捉する微小物の捕捉装置であって、
その表面に複数の微小突起が形成された半導体基板と、
前記微小物を捕捉するためのレーザー光を出射するレーザー光源と、
前記レーザー光源から出射されたレーザー光を前記半導体基板の前記複数の微小突起が形成されている面に集光するためのレンズと、
を有する、微小物の捕捉装置。
【請求項７】
前記複数の微小突起の底部の外径の平均値は、１０ｎｍ〜１μｍの範囲内であり、
前記複数の微小突起の高さの平均値は、１０ｎｍ〜１μｍの範囲内である、
請求項６に記載の微小物の捕捉装置。
【請求項８】
前記複数の微小突起の底部の外径に対する高さの比の平均値は、２以上である、請求項７に記載の微小物の捕捉装置。
【請求項９】
前記半導体基板は、シリコン基板である、請求項６〜８のいずれか一項に記載の微小物の捕捉装置。
【請求項１０】
前記レーザー光源は、波長が５００ｎｍ以上のレーザー光を出射する、請求項９に記載の微小物の捕捉装置。
【請求項１１】
前記微小物から蛍光を放出させるための励起光を出射する励起光源と、
前記微小物から放出された蛍光を検出することで、前記光に捕捉された前記微小物を観察する検出部と、
をさらに有する、請求項６〜１０のいずれか一項に記載の微小物の捕捉装置。
【発明の詳細な説明】
【技術分野】
【０００１】
本発明は、光ピンセットの技術を利用して微小物を捕捉する、微小物の捕捉方法および微小物の捕捉装置に関する。
【背景技術】
【０００２】
光ピンセットは、顕微鏡の対物レンズなどを用いてレーザー光を強く集光することで集光位置近傍に存在する微小物に光圧を作用させて、その微小物を捕捉する技術である。レーザー光を走査することで、捕捉した微小物を空間的に操作することもできる。
【０００３】
従来、光ピンセットの捕捉対象は、樹脂ビーズやガラスビーズ、細胞、細菌、液滴などのマイクロメートルサイズの物体であった。このような光の波長よりも大きなマイクロメートルサイズの対象物に作用する光圧は、光線光学的に説明することができる。一方、ナノテクノロジーの進展が著しい近年では、光の波長よりも小さい対象物（例えば直径１００ｎｍ以下の微粒子）を捕捉する必要に迫られる場面もある。このようなナノメートルサイズの対象物に作用する光圧は、電磁気学的に説明することができる。
【０００４】
ナノメートルサイズの対象物に作用する光圧について、簡単に説明する。まず、光の波長よりも十分に小さい対象物は、１個の電気双極子とみなすことができる。この対象物（電気双極子）が光の電場Ｅの中に置かれたとき、対象物（電気双極子）が受ける光圧Ｆおよびそれにより生じる捕捉のポテンシャルＵtrapは、散乱力を無視すると以下の式（１）〜式（３）で表される。
【数１】
2019056724.tif 000003
【数２】
2019056724.tif 000004
【数３】
2019056724.tif 000005
［上記式（１）〜式（３）において、Ｅは対象物に作用する電場であり、αは対象物（電気双極子）の分極率であり、ｎ１は対象物の屈折率であり、ｎ２は周囲の媒質の屈折率であり、ｒは対象物の半径であり、ε２は周囲の媒質の誘電率である。］
【０００５】
光圧Ｆの起源は、ローレンツ力から導かれる勾配力（dipole gradient force）である。ｎ１＞ｎ２の条件下では、光圧Ｆは、対象物を集光位置に引き寄せる引力として働く。そして、以下の式（４）に示されるように、捕捉のポテンシャルＵtrapが熱揺らぎのエネルギーｋＴを超えるとき、対象物は集光位置に捕捉される。対象物を安定に捕捉するためには、以下の式（５）が満たされることが好ましい。
【数４】
2019056724.tif 000006
【数５】
2019056724.tif 000007
［上記式（４），式（５）において、ｋはボルツマン定数であり、Ｔは絶対温度である。］
【０００６】
上記のとおり、光圧Ｆおよび捕捉のポテンシャルＵtrapは分極率αに比例し、分極率αは対象物のサイズ（体積）に比例する。たとえば、対象物の半径ｒが１μｍから１００ｎｍに小さくなると、光圧Ｆは１／１０００にまで小さくなってしまう。したがって、マイクロメートルサイズの対象物に比べると、ナノメートルサイズの対象物の捕捉ははるかに難しくなる。理屈上は、対象物の半径ｒが１μｍから１００ｎｍに小さくなっても、レーザー光の強度を１０００倍にすれば、光圧Ｆは変わらない。しかしながら、レーザー光の強度を１０００倍にすることは、安全面やコストなどの観点から現実的ではない。
【０００７】
上記の問題を解決する手段として、局在表面プラズモンを利用して光圧を増大させる、プラズモン光ピンセット（Plasmonic Optical Tweezers）が提案されている（例えば非特許文献１参照）。
【０００８】
金や銀などの貴金属中の自由電子の協同的集団振動の波を「プラズモン」と呼ぶ。貴金属微粒子に共鳴光（例えば緑色光または赤色光）を照射することで、プラズモンを生じさせることができる。特に、複数の貴金属微粒子がナノメートルサイズ（２０ｎｍ以下）の間隔で配置されている場合、共鳴光の照射により振動電場は微粒子間の隙間（ナノギャップ）に著しく局在する。これをギャップモード局在表面プラズモンという。ナノギャップにおける電場強度Ｅ２は、入射共鳴光に比べて数千倍以上にまで増強される。また、振動電場が極めて小さい領域に局在するので,電場勾配∇Ｅ２は急峻で大きな値となる。したがって、上記式（１）および式（３）より、ナノギャップに対象物が近づいてくると、対象物には強い光圧が働き、対象物は捕捉される。プラズモン光ピンセットは、このような原理で微小物を捕捉する。
【０００９】
以上のように、プラズモン光ピンセットは、局在表面プラズモンによる電場増強効果を利用することで、ナノメートルサイズの対象物に対してもレーザー光の強度を高めることなく十分な光圧を作用させることができる。このことから、プラズモン光ピンセットは、ナノメートルサイズの対象物をある程度捕捉することができる。
【先行技術文献】
【非特許文献】
【００１０】
【非特許文献１】東海林竜也、坪井泰之、「プラズモン光ピンセットによるソフトマターの捕捉」、応用物理、第８６巻、第１号、４５〜４９ページ（Shoji, T. and Tsuboi, Y., "Plasmonic optical trapping of soft nanomatters", OYO BUTURI, Vol.86, No.1, pp.45-49.）
【発明の概要】
【発明が解決しようとする課題】
【００１１】
上記のとおり、プラズモン光ピンセットは、局在表面プラズモンによる電場増強効果を利用することで、ナノメートルサイズの対象物をある程度捕捉することができる。しかしながら、本発明者らの研究によれば、プラズモン光ピンセットには、プラズモン励起による発熱により微小物の捕捉の安定性が低下してしまうという問題があることがわかった。
【００１２】
プラズモン光ピンセットは、プラズモン励起を伴うため、吸収した光エネルギーは熱になる。したがって、複数の貴金属微粒子が所定の間隔で配置されたナノ構造体にレーザー光を照射すると、ナノ構造体の表面の温度が上昇する。典型的なプラズモン光ピンセットでは、レーザー光を照射することで数Ｋ〜数十Ｋ程度の温度が上昇すると考えられる。この局所的な温度上昇は、以下の２つの理由により、微小物の捕捉の安定性を低下させる。
【００１３】
１つ目の理由は、温度上昇により、熱対流（マランゴニ対流）が発生することである。この対流により、捕捉された微小物は激しく揺さぶられる。揺さぶられた微小物がナノ構造体から離れてしまうと、微小物は、そのまま対流により遠くに流されてしまい、二度と捕捉されない。
【００１４】
２つ目の理由は、温度上昇により、熱泳動が発生することである。局所的な温度上昇は、周囲に温度勾配∇Ｔを作り出す。この温度勾配は、熱泳動と呼ばれる物質の移動を引き起こす。熱泳動の力ｆは、以下の式（６）により表される。
【数６】
2019056724.tif 000008
［上記式（６）において、ＳＴは対象微小物の固有の係数（Soret係数）である。］
【００１５】
多くの物質において、ＳＴは正の値となる。この場合、微小物は、熱泳動の力ｆにより熱い領域から冷たい領域に向かって輸送されることとなる。すなわち、熱泳動の力ｆは、微小物の捕捉を阻害する斥力として働く。本発明者らの計算によれば、温度勾配∇Ｔは、〜０.５Ｋ／ｍｍという大きな値になる。したがって、ナノメートルサイズ（サブマイクロメートルサイズ）の対象物に対する熱泳動の斥力ｆの大きさは、サブピコニュートンのレベルになる。一方で、プラズモンで増強された光圧（引力）の大きさも、サブピコニュートンのレベルである。結果として、プラズモン光ピンセットにおける捕捉力の実効値は、小さくなってしまう。
【００１６】
また、熱泳動の斥力ｆは、Ｔおよび∇Ｔの積に比例している。Ｔおよび∇Ｔは、光強度と正の関係にある。したがって、プラズモンを励起するための光の強度が大きくなればなるほど、斥力ｆは近似的に二乗に比例して大きくなる。結果として、光強度がある値を超えたときに、微小物を捕捉できなくなってしまう。このため、プラズモン光ピンセットでは、プラズモンで増強された光圧（引力）が熱泳動の斥力よりも大きくなるように、励起光の強度を狭い範囲内に調整しなければならない。
【００１７】
本発明は、かかる点に鑑みてなされたものであり、ナノメートルサイズの対象微小物を安定して捕捉することができる、微小物の捕捉方法および微小物の捕捉装置を提供することを目的とする。
【課題を解決するための手段】
【００１８】
上記の課題を解決するため、本発明に係る微小物の捕捉方法は、その表面に複数の微小突起が形成された半導体基板の上に、対象微小物を含む液体を提供する工程と、前記半導体基板と前記液体との界面にレーザー光を集光照射して、前記液体中の前記対象微小物を前記レーザー光の光束内に捕捉する工程と、を含む。
【００１９】
また、上記の課題を解決するため、本発明に係る微小物の捕捉装置は、液体中の対象微小物をレーザー光の光束内に捕捉する微小物の捕捉装置であって、その表面に複数の微小突起が形成された半導体基板と、前記微小物を捕捉するためのレーザー光を出射するレーザー光源と、前記レーザー光源から出射されたレーザー光を前記半導体基板の前記複数の微小突起が形成されている面に集光するためのレンズと、を有する。
【発明の効果】
【００２０】
本発明によれば、マイクロメートルサイズの対象微小物だけでなく、ナノメートルサイズの対象微小物も安定して捕捉することができる。
【図面の簡単な説明】
【００２１】
【図１】図１は、本発明に係る捕捉装置の構成の一例を示す模式図である。
【図２】図２は、１５分間ドライエッチングすることで得られたブラックシリコンの走査電子顕微鏡像である。
【図３】図３は、本発明に係る捕捉装置の構成の別の例を示す模式図である。
【図４】図４Ａ〜Ｅは、ポリスチレン微粒子の捕捉状態を示す蛍光像である。
【図５】図５Ａ〜Ｃは、プラズモン光ピンセットによりポリスチレン微粒子を捕捉したときの、捕捉されたポリスチレン微粒子の挙動を示すグラフおよび蛍光像である。
【図６】図６Ａ〜Ｃは、本発明に係る捕捉装置によりポリスチレン微粒子を捕捉したときの、捕捉されたポリスチレン微粒子の挙動を示すグラフおよび蛍光像である。
【図７】図７Ａ〜Ｃは、本発明に係る捕捉装置によりポリスチレン微粒子を捕捉したときの、捕捉されたポリスチレン微粒子の挙動を示すグラフおよび蛍光像である。
【発明を実施するための形態】
【００２２】
以下、本発明の実施の形態について、図面を参照して詳細に説明する。
【００２３】
（捕捉装置の構成）
図１は、本発明に係る微小物の捕捉装置の構成の一例を示す模式図である。図１に示されるように、捕捉装置１００は、半導体基板１１０、レーザー光源１２０およびレンズ１３０を有する。この捕捉装置１００は、半導体基板１１０の上に捕捉対象の微小物１４２を含む液体１４０が提供された状態で使用され、レーザー光源１２０から出射されたレーザー光１２２の光束内に微小物１４２を捕捉する。なお、図１では、各構成要素を模式的に示しており、各構成要素の大きさ、形状および位置は正確ではない。
【００２４】
半導体基板１１０は、その表面に複数の微小突起１１２が形成された半導体からなる部材である。上述のプラズモン光ピンセットでは、電場増強場として複数の貴金属微粒子が所定の間隔で配置されたナノ構造体を使用するが、本発明に係る捕捉装置１００では、電場増強場としてその表面に複数の微小突起１１２が形成された半導体基板１１０を使用する。本発明では、局在表面プラズモンを利用するという意図はないため、プラズモンが発生しない半導体基板１１０を電場増強場として使用することができる。半導体基板１１０を構成する半導体の種類は、特に限定されず、元素半導体であってもよいし、化合物半導体であってもよいし、有機半導体であってもよい。また、半導体基板１１０の代わりに、バンドギャップの大きな固体材料、すなわち誘電体（ガラス）からなる基板を用いてもよい。半導体基板１１０を構成する半導体の例には、シリコン、ガリウム、ゲルマニウム、ガリウム砒素、酸化亜鉛、酸化スズ、酸化インジウム、セレン化亜鉛、窒化アルミニウム、窒化ガリウム、硫化亜鉛、硫化カドミウムが含まれる。微小突起を形成する観点やコストの観点などからは、半導体基板１１０はシリコン基板であることが好ましい。その表面に複数の針状突起が高密度で形成されたシリコンは、その表面近傍に屈折率の空間的な勾配が形成されて光の反射を顕著に抑制できることから、ブラックシリコンとも呼ばれる。ブラックシリコンは、シリコンへの光の吸収が促進されることから、太陽電池への応用が期待されている。本発明では、半導体基板１１０としてこのブラックシリコンを使用することができる。ただし、本発明では、太陽電池への応用とは異なる視点でブラックシリコンを利用するため、シリコンへの光の吸収は抑制されることが好ましい。
【００２５】
半導体基板１１０の表面（少なくとも液体１４０が提供され、レーザー光１２２を照射される面）には、複数の微小突起１１２が形成されている。微小突起１１２の数および密度は、特に限定されない。また、微小突起１１２は、半導体基板１１０の表面全体に形成されている必要もない。ただし、レーザー光１２２の照射スポットの全体を捕捉領域として使用する観点からは、複数の微小突起１１２は、レーザー光１２２の照射スポット内の全体に亘って高密度で存在できるように、半導体基板１１０の表面に形成されていることが好ましい。
【００２６】
複数の微小突起１１２の大きさおよび形状は、特に限定されず、レーザー光１２２の波長や半導体基板１１０を構成する半導体の種類などに応じて適宜設定されうる。たとえば、複数の微小突起１１２の底部の外径の平均値は、１０ｎｍ〜１μｍの範囲内であり、複数の微小突起１１２の高さの平均値は、１０ｎｍ〜１μｍの範囲内である。また、複数の微小突起１１２のアスペクト比（底部の外径に対する高さの比）の平均値は、２以上である。複数の微小突起１１２のアスペクト比の平均値の上限は、特に限定されないが、例えば３０である。
【００２７】
複数の微小突起１１２を形成する方法は、特に限定されない。たとえば、前述のブラックシリコンは、シリコン基板（ウェハー）をＳＦ６／Ｏ２プラズマで数分から数十分間ドライエッチングすることで作製されうる。図２は、１５分間ドライエッチングすることで得られたブラックシリコンの走査電子顕微鏡像である。図２から、多数の針状突起が高密度でシリコン基板の表面に形成されていることがわかる。このブラックシリコンでは、針状突起の底部の外径は、約２００ｎｍであった。また、針状突起のアスペクト比は、２以上であった。なお、シリコン以外の半導体についても、ガスの種類やエッチング時間を適宜選択してドライエッチングをすることで、複数の微小突起１１２を形成することができる。また、ナノインプリント法やウェットエッチング法などの公知の方法を用いても、複数の微小突起１１２を形成することができる。
【００２８】
レーザー光源１２０は、微小物を捕捉するためのレーザー光１２２の光源である。レーザー光１２２の波長は、特に限定されないが、半導体基板１１０により吸収されにくい波長であることが好ましい。半導体基板１１０により吸収されにくい波長の光を利用することで、半導体基板１１０での吸収による発熱およびそれによる温度上昇の影響を抑制することができる。たとえば、半導体基板１１０がシリコン基板である場合、レーザー光１２２の波長は、吸収係数が１００００ｃｍ−１以下となる５００ｎｍ以上であることが好ましい。また、レーザー光１２２の波長は、微小物１４２の分散媒（液体１４０）により吸収されにくい波長であること、すなわち分散媒（液体１４０）の吸収係数が１０００ｃｍ−１以下となる波長であることが好ましい。たとえば、分散媒（液体１４０）水である場合、レーザー光１２２の波長は、吸収係数が１０００ｃｍ−１以下となる３０００ｎｍ以下であることが好ましい。なお、上述のプラズモン光ピンセットでは、プラズモン共鳴を励起する観点から、約６００〜１０００ｎｍの波長の光を照射しなければならないという制限がある。また、一般的な集光型の光ピンセットでは、光圧の起源となる勾配力を大きくするためにガウシアンビーム型の強度分布をもつレーザー光を使用することが好ましいとされている。一方、本発明では、光の強度分布は特に限定されず、ガウシアンビーム型の強度分布をもつレーザー光だけでなく、ガウシアンビーム型の強度分布から大きく逸脱した強度分布をもつレーザー光やフラットトップ型のレーザー光を使用することもできる。
【００２９】
レーザー光源１２０の出力は、特に限定されない。集光位置（半導体基板１１０の表面）で１０ｋＷ／ｃｍ２以上の光強度を発生させる観点からは、レーザー光源１２０の出力は、１ｍＷ以上であることが好ましい。また、レンズ１３０などの損傷を防ぐ観点からは、レーザー光源１２０の出力は、１Ｗ以下であることが好ましい。
【００３０】
レンズ１３０は、レーザー光源１２０から出射されたレーザー光１２２を半導体基板１１０の複数の微小突起１１２が形成されている面に集光する。たとえば、レンズ１３０は、光学顕微鏡の対物レンズである。一般的な集光型の光ピンセットでは、レンズの開口数（ＮＡ）は大きいほど好ましいとされており、通常１.０以上の開口数のレンズを使用する。一方、本発明では、微小突起１１２の表面が増強作用を有するため、レンズの開口数は特に限定されず、例えば０.４〜１.５程度の幅広い開口数のレンズを使用することができる。すなわち、従来の光ピンセットとは異なり、本発明では、レンズ１３０の開口数は、１.０未満であってもよく、０.９以下であってもよく、０.８以下であってもよく、０.７以下であってもよく、０.６以下であってもよい。
【００３１】
（捕捉方法）
次に、捕捉装置１００を用いて微小物を捕捉する方法について説明する。
【００３２】
まず、半導体基板１１０の複数の微小突起１１２が形成された面に、捕捉対象の微小物１４２を含む液体１４０を提供する。たとえば、半導体基板１１０を設置した容器（セル）内に液体１４０を導入すればよい。また、半導体基板１１０上にピペットなどを用いて液体１４０を提供してもよい。
【００３３】
捕捉対象の微小物の種類は、特に限定されない。本発明では、１０ｎｍ〜１００μｍ程度の大きさの微小物を捕捉することができる。たとえば、本発明では、ガラスや樹脂などの誘電体の微粒子や、細胞（例えば赤血球）や細菌（例えば大腸菌）などの生物系の微粒子などを捕捉することができる。これらは、マイクロメートルサイズの微小物であるが、本発明では、サブマイクロメートルからナノメートルサイズの微小物も捕捉することができる。このような微小物の例には、ＣｄＳｅなどの半導体のナノ結晶（量子ドット）や、ＤＮＡやタンパク質などの生体高分子、ゲル微粒子、合成高分子などが含まれる。
【００３４】
次に、半導体基板１１０と液体１４０との界面にレーザー光１２２を集光照射する。これにより、レーザー光１２２の集光位置の近傍に移動してきた微小物１４２がレーザー光１２２の光束内に捕捉される。
【００３５】
本発明では、局在表面プラズモンを利用していないにもかかわらず、プラズモン光ピンセットと同様にナノメートルサイズの微小物を捕捉することができる。なお、プラズモン光ピンセットのナノ構造体の電場増強能は数千倍以上であるが、ブラックシリコン基板の電場増強能はＥ２で４〜５倍程度である。また、本発明では、局在表面プラズモンを利用していないため、温度上昇による捕捉の不安定化が生じず、プラズモン光ピンセットよりもナノメートルサイズの微小物を安定して捕捉することができる。本発明において、局在表面プラズモンを利用していないにもかかわらず、プラズモン光ピンセットと同様にナノメートルサイズの微小物を捕捉できるのは、半導体基板１１０表面の複数の微小突起１１２により生じる多重散乱の効果により、レーザー光１２２が時空間的に局在するためと推察されるが、これに限定されるものではない。
【００３６】
以上の手順により、液体１４０中の微小物１４２をレーザー光１２２の光束内に捕捉することができる。この後、半導体基板１１０に対してレーザー光１２２の照射スポットを相対的に移動させることで、捕捉した微小物１４２を空間的に移動させることもできる。
【００３７】
（捕捉装置の変形例）
なお、本発明に係る微小物の捕捉装置は、上記の構成要素に加えて他の構成要素をさらに有していてもよい。たとえば、励起光を照射すると微小物が蛍光を放出する場合、本発明に係る捕捉装置は、微小物の捕捉状態を観察するために、微小物から蛍光を放出させるための励起光を出射する励起光源と、微小物から放出された蛍光を検出することで捕捉された微小物を観察する検出部と、を有していてもよい。
【００３８】
図３は、本発明に係る微小物の捕捉装置の構成の別の例を示す模式図である。図３に示されるように、捕捉装置２００は、その内部に半導体基板２１２（図１の実施形態の半導体基板１１０に相当）を収容した試料セル２１０、第１レーザー光源２２０（図１の実施形態のレーザー光源１２０に相当）、高圧水銀ランプ２３０（上述の励起光源に相当）、第２レーザー光源２４０、対物レンズ２５０（図１の実施形態のレンズ１３０に相当）、第１ＣＣＤカメラ２６０（上述の検出部に相当）、分光器２７０、第２ＣＣＤカメラ２８０、ＸＹステージ２９０およびコンピュータ３００を有する。また、捕捉装置２００は、光学系を構成する光学素子として、第１レンズ３１０、第２レンズ３１２、第３レンズ３１４、第４レンズ３１６、第５レンズ３１８、第１ミラー３２０、第２ミラー３２２、第３ミラー３２４、第４ミラー３２６、ダイクロイックミラー３２８、第１蛍光フィルター３３０、第２蛍光フィルター３３２、第３蛍光フィルター３３４、第４蛍光フィルター３３６を有する。捕捉装置２００は、光学顕微鏡をベースとして構成されうる。
【００３９】
半導体基板２１２は、前述の半導体基板１１０と同じものであり、例えばブラックシリコン基板である。第１レーザー光源２２０は、微小物を捕捉するための捕捉光（例えば可視光または近赤外光）を出射する。捕捉光は、第１レンズ３１０および第２レンズ３１２により光束径を調整され、第１ミラー３２０（例えば近赤外ミラー）で反射され、ダイクロイックミラー３２８を透過し、対物レンズ２５０により半導体基板２１２の表面に集光される。
【００４０】
高圧水銀ランプ２３０は、微小物の捕捉状態を観察するための励起光を出射する。第１ＣＣＤカメラ２６０は、この励起光により微小物から放出された蛍光を検出して微小物の捕捉状態を観察する。励起光は、ダイクロイックミラー３２８で反射され、対物レンズ２５０により半導体基板２１２の表面に集光される。蛍光は、対物レンズ２５０により集められ、ダイクロイックミラー３２８および第１ミラー３２０を透過し、第３ミラー３２４で反射され、第１ＣＣＤカメラ２６０の受光面上に結像される。このとき、第１蛍光フィルター３３０（例えばロングパスフィルター）や第２蛍光フィルター３３２（例えばショートパスフィルター）などにより、蛍光以外の成分の大部分が除去される。
【００４１】
第２レーザー光源２４０は、微小物の蛍光／振動スペクトルを観察するための励起光（例えば可視光）を出射する。第２ＣＣＤカメラ２８０は、この励起光により微小物から放出された蛍光を検出して微小物の蛍光／振動スペクトルを観察する。励起光は、第３レンズ３１４および第４レンズ３１６により光束径を調整され、第２ミラー３２２（例えばダイクロイックミラー）で反射され、第３ミラー３２４、第１ミラー３２０およびダイクロイックミラー３２８を透過し、対物レンズ２５０により半導体基板２１２の表面に集光される。蛍光は、対物レンズ２５０により集められ、ダイクロイックミラー３２８、第１ミラー３２０および第３ミラー３２４を透過し、第４ミラー３２６で反射され、第５レンズ３１８で第２ＣＣＤカメラ２８０の受光面上に結像される。このとき、第３蛍光フィルター３３４（例えばロングパスフィルター）や第４蛍光フィルター３３６（例えばショートパスフィルター）、分光器２７０などにより、蛍光以外の成分の大部分が除去される。
【００４２】
ＸＹステージ２９０は、コンピュータ３００の制御下において試料セル２１０を移動させる。コンピュータ３００は、ＸＹステージ２９０を制御するとともに、第１ＣＣＤカメラ２６０および第２ＣＣＤカメラ２８０の検出結果を入力し、必要に応じて処理する。
【００４３】
図３に示される捕捉装置２００は、微小物を捕捉するだけではなく、微小物の捕捉状態の観察および捕捉した微小物の蛍光／振動スペクトルを観察することもできる。なお、蛍光を放出しない微小物を捕捉する場合は、第２レーザー光源２４０から出射された可視レーザー光の散乱光をモニターすることにより、微小物の捕捉状態を観察することができる。
【００４４】
（効果）
本発明では、局在表面プラズモンを利用していないにもかかわらず、プラズモン光ピンセットと同様にナノメートルサイズの微小物を捕捉することができる。また、本発明では、局在表面プラズモンを利用していないため、温度上昇による捕捉の不安定化が生じず、プラズモン光ピンセットよりもナノメートルサイズの微小物を安定して捕捉することができる。
【００４５】
また、プラズモン光ピンセットでは、複数の貴金属微粒子が所定の間隔で配置されたナノ構造体を使用するが、このナノ構造体を作製するには高額な装置（例えば電子線リソグラフィー装置）および複雑な操作手順が必要となる。また、現在の技術では、大型のナノ構造体を作製することは困難である。これに対し、本発明では、ブラックシリコン基板などの上記ナノ構造体に比べて安価かつ容易に大型できる半導体基板を使用するため、本発明に係る捕捉方法および捕捉装置は、プラズモン光ピンセットに比べてより容易に実用化できる。
【００４６】
以下、本発明について実施例を参照して詳細に説明するが、本発明はこれらの実施例により限定されない。
【実施例】
【００４７】
倒立型光学顕微鏡（ECLIPSE TI-U；株式会社ニコン）をベースとして、図３に示される構成の捕捉装置を準備した。
【００４８】
第１レーザー光源２２０としては、波長８０８ｎｍのＣＷレーザー光を出射する、発信出力１００ｍＷ以下のレーザー光源（IRM808TB-100SR；Shanghai Laser & Optics Century Co., Ltd.）を使用した。高圧水銀ランプ２３０としては、１００Ｗの水銀ランプ（Ｃ−ＳＨＧ１；株式会社ニコン）を使用した。第２レーザー光源２４０としては、波長４７３ｎｍのＣＷレーザー光を出射する、発信出力２０ｍＷのレーザー光源（SDL-473-LN-005T；Shanghai Dream Lasers Technology Co., Ltd.）を使用した。対物レンズ２５０としては、開口数（ＮＡ）が１.４で倍率が１００倍の油浸対物レンズ（Plan Apo VC；株式会社ニコン）を使用した。第１ＣＣＤカメラ２６０および第２ＣＣＤカメラ２８０としては、それぞれ冷却型ＣＣＤカメラ（Princeton Instruments社）を使用した。分光器２７０としては、ＣＣＤカメラ用分光器（Princeton Instruments社）を使用した。
【００４９】
第１ミラー３２０としては、近赤外ミラーを使用した。第２ミラー３２２としては、ダイクロイックミラーを使用した。ダイクロイックミラー３２８としては、ＦＩＴＣ用のダイクロイックミラーを使用した。第１蛍光フィルター３３０および第３蛍光フィルター３３４としては、カットオン波長が４７３ｎｍのロングパスエッジフィルターを使用した。第２蛍光フィルター３３２および第４蛍光フィルター３３６としては、カットオン波長が７８５ｎｍのショートパスエッジフィルターを使用した。
【００５０】
半導体基板２１２としては、シリコン基板をＳＦ６／Ｏ２プラズマで１５分間ドライエッチングすることで得られたブラックシリコン基板を使用した。図２に示されるように、このブラックシリコン基板では、多数の針状突起が高密度でシリコン基板の表面に形成されていた。針状突起の底部の外径は約２００ｎｍであり、針状突起のアスペクト比は２以上であった。
【００５１】
（実験１）
上記本発明に係る捕捉装置（捕捉光の波長：８０８ｎｍ）を用いて、直径５００ｎｍの蛍光染色ポリスチレン微粒子を捕捉する実験を行った。半導体基板２１２の表面（液体との界面）における捕捉光の強度は、３２０ｋＷ／ｃｍ２であった。図４Ａ〜Ｅは、第１ＣＣＤカメラ２６０により撮影した、蛍光染色ポリスチレン微粒子の捕捉状態を示す蛍光像である。図４Ａは捕捉光を照射する前の様子であり、図４Ｂは捕捉光を照射してから１０秒経過後の様子であり、図４Ｃは捕捉光を照射してから３０秒経過後の様子であり、図４Ｄは捕捉光を照射してから６０秒経過後の様子であり、図４Ｅは捕捉光の照射を止めた後の様子である。これらの写真において、破線で囲まれた領域は、捕捉光の照射領域である。これらの写真から、捕捉光の照射時間が増大するとともに、照射領域にポリスチレン微粒子が次々と捕捉されていくことがわかる。また、捕捉光の照射を止めると、捕捉されていたポリスチレン微粒子が散らばっていくこともわかる。
【００５２】
この実験において、ポリスチレン微粒子の捕捉に必要な捕捉光の強度を決定したところ、３０ｋＷ／ｃｍ２であった。なお、同じポリスチレン微粒子を一般的な集光型の光ピンセットで捕捉しようとすると、捕捉光の強度を１０００ｋＷ／ｃｍ２以上としなければならない。これらのことから、その表面に複数の微小突起が形成された半導体基板を用いることで、ナノメートルサイズの微小物を捕捉するのに必要な捕捉光の強度を大きく低減できることがわかる。
【００５３】
また、ブラックシリコン基板の代わりに複数の貴金属微粒子が所定の間隔で配置されたナノ構造体（非特許文献１参照）を用いて、プラズモン光ピンセットによりポリスチレン微粒子を捕捉する実験も行った。その結果、プラズモン光ピンセットでは、ポリスチレン微粒子を捕捉できたときの捕捉光の強度範囲が１〜５ｋＷ／ｃｍ２と非常に狭かったのに対し、本発明に係る方法では、ポリスチレン微粒子を捕捉できたときの捕捉光の強度範囲が３０ｋＷ／ｃｍ２〜１０００ｋＷ／ｃｍ２以上と非常に広かった。
【００５４】
また、ドライエッチングを３０分間行って作製した、針状突起のアスペクト比が４以上のブラックシリコン基板を用いて同じ実験を行ったところ、上述のブラックシリコン基板（アスペクト比が２以上）を用いたときと同様の結果が得られた。
【００５５】
（実験２）
上記本発明に係る捕捉装置を用いてポリスチレン微粒子を捕捉したときの、捕捉されたポリスチレン微粒子の挙動を観察した。また、比較のため、ブラックシリコン基板の代わりに複数の貴金属微粒子が所定の間隔で配置されたナノ構造体（非特許文献１参照）を用いてプラズモン光ピンセットによりポリスチレン微粒子を捕捉したときの、捕捉されたポリスチレン微粒子の挙動も観察した。
【００５６】
図５Ａ〜Ｃは、プラズモン光ピンセットによりポリスチレン微粒子を捕捉したときの、捕捉されたポリスチレン微粒子の挙動を示すグラフおよび蛍光像である。図５Ａは、捕捉されたポリスチレン微粒子の挙動を示すグラフである。このグラフでは、３つのポリスチレン微粒子（Ｐ１、Ｐ２およびＰ３）について０.０３３秒ごとの位置をプロットしている（合計１.０秒間）。図５Ｂは、捕捉光を照射してから０.１秒後の蛍光像であり、図５Ｃは、捕捉光を照射してから１.０秒後の蛍光像である。これらの蛍光像における３つの矢印は、図５Ａに登場する３つのポリスチレン微粒子（Ｐ１、Ｐ２およびＰ３）を示している。これらの結果から、プラズモン光ピンセットにより捕捉されたポリスチレン微粒子は、照射領域内において揺らいでいることがわかる。これは、プラズモン光ピンセットでは、捕捉力の実効値（＝光圧−熱泳動力）が、熱揺らぎの力（ブラウン運動）と拮抗するためであると考えられる。
【００５７】
図６Ａ〜Ｃおよび図７Ａ〜Ｃは、本発明に係る捕捉装置によりポリスチレン微粒子を捕捉したときの、捕捉されたポリスチレン微粒子の挙動を示すグラフおよび蛍光像である。図６Ａおよび図７Ａは、捕捉されたポリスチレン微粒子の挙動を示すグラフである。図６Ａのグラフでは、５つのポリスチレン微粒子（Ｐ１、Ｐ２、Ｐ３、Ｐ４およびＰ５）について０.０３３秒ごとの位置をプロットしている（合計２.７秒間）。図７Ａのグラフでは、１つのポリスチレン微粒子について０.０３３秒ごとの位置をプロットしている（合計１０秒間）。図６Ｂおよび図７Ｂは、捕捉光を照射してから０.０秒後の蛍光像であり、図６Ｃは、捕捉光を照射してから２.７秒後の蛍光像であり、図７Ｃは、捕捉光を照射してから１０秒後の蛍光像である。図６Ｂおよび図６Ｃの蛍光像における５つの矢印は、図６Ａに登場する５つのポリスチレン微粒子（Ｐ１、Ｐ２、Ｐ３、Ｐ４およびＰ５）を示している。図７Ｂおよび図７Ｃの蛍光像における矢印は、図７Ａに登場する１つのポリスチレン微粒子を示している。これらの結果から、本発明に係る捕捉装置により捕捉されたポリスチレン微粒子は、照射領域内においてほとんど揺らいでいないことがわかる。これは、本発明に係る捕捉装置では、捕捉力の実効値（＝光圧−熱泳動力）が、熱揺らぎの力（ブラウン運動）よりも顕著に大きいためであると考えられる。
【００５８】
これらの結果から、本発明に係る捕捉装置は、プラズモン光ピンセットよりも微小物をより強く捕捉できることがわかる。
【００５９】
なお、この実験における捕捉光の照射時のブラックシリコン基板の温度を蛍光消光法より見積もったところ、無視できるほど温度上昇が小さいことがわかった。これは、局在表面プラズモンを利用しておらず、かつ捕捉光としてシリコンに光吸収がほとんどない波長のレーザー光を使っているためであると考えられる。
【産業上の利用可能性】
【００６０】
本発明に係る微小物の捕捉方法および微小物の捕捉装置は、マイクロメートルサイズの微小物だけでなく、ナノメートルサイズの微小物も安定して捕捉することができるため、産業分野や医療分野、学術分野などの様々な分野において有用である。
【符号の説明】
【００６１】
１００、２００  捕捉装置
１１０  半導体基板
１１２  微小突起
１２０  レーザー光源
１２２  レーザー光
１３０  レンズ
１４０  液体
１４２  微小物
２１０  試料セル
２１２  半導体基板
２２０  第１レーザー光源
２３０  高圧水銀ランプ
２４０  第２レーザー光源
２５０  対物レンズ
２６０  第１ＣＣＤカメラ
２７０  分光器
２８０  第２ＣＣＤカメラ
２９０  ＸＹステージ
３００  コンピュータ
３１０  第１レンズ
３１２  第２レンズ
３１４  第３レンズ
３１６  第４レンズ
３１８  第５レンズ
３２０  第１ミラー
３２２  第２ミラー
３２４  第３ミラー
３２６  第４ミラー
３２８  ダイクロイックミラー
３３０  第１蛍光フィルター
３３２  第２蛍光フィルター
３３４  第３蛍光フィルター
３３６  第４蛍光フィルター
【図１】
2019056724.tif 000009
【図２】
2019056724.tif 000010
【図３】
2019056724.tif 000011
【図４】
2019056724.tif 000012
【図５】
2019056724.tif 000013
【図６】
2019056724.tif 000014
【図７】
2019056724.tif 000015